(57)【要約】【課題】原稿と識別コードとを短時間で読み込むことができ、コピー開始までの時間を短縮することができる画像形成装置を提供する。【解決手段】予め画像形成を許可するＩＤコードを記憶する記憶部１９と、読み取る原稿を載置する原稿台と、原稿台上の画像を露光走査することによって画像の読取を行なう読取部１８と、読取部１８で読み取った画像データを記憶する画像メモリ１５と、読取部によって読み取った画像データの中からＩＤコードの画像データを認識する認識部と、認識部によって認識されたＩＤコードが記憶部１９に記憶されたＩＤコードと一致するか否かを判断する判断部と、判断部が一致すると判断したときに画像メモリに記憶された読み取った画像データの画像形成を行う処理部１２とを備える【選択図】図２
2006311323.tif 000002
【特許請求の範囲】
【請求項１】
読み取る原稿を載置する原稿台と、前記原稿台上の画像を露光走査することによって前記画像の読取を行なう画像読取手段と、前記画像読取手段が読み取った画像の画像データの中から識別コードの画像データを認識する画像認識手段と、を備えることを特徴とする画像読取装置。
【請求項２】
前記画像認識手段によって認識された識別コードが、画像読取装置に記憶された識別コードと一致するか否かを判断する判断手段を備え、
前記判断手段が一致しないと判断したときに、再度、前記画像読取手段による画像の読取と、前記画像認識手段による識別コードの認識とを行なわせるか、或いは、読み取った前記画像の画像データを消去するかをユーザに選択させる選択手段を備えることを特徴とする請求項１記載の画像読取装置。
【請求項３】
前記画像データから前記識別コードの画像データを消去する識別コード消去手段を有することを特徴とする請求項１又は２記載の画像読取装置。
【請求項４】
前記識別コードは、前記原稿台に載置されるカード上に記載されており、前記画像読取手段が読み取った画像の画像データの中に前記カードの画像データが含まれているか否かを判断するカード画像判断手段と、前記カード画像判断手段が前記カードの画像データが前記原稿の画像データの中に含まれていると判断したときに、前記画像データからカードの画像データを消去するカード画像消去手段を有することを特徴とする請求項１乃至３の何れかに記載の画像読取装置。
【請求項５】
請求項１乃至４の何れかに記載の画像読取装置と、
前記画像読取装置の前記読み取った画像データの画像形成を行う画像形成手段とを備えることを特徴とする画像形成装置。
【請求項６】
原稿台上の画像を露光走査することによって前記画像の読取を行なう画像読取工程と、前記画像読取工程が読み取った画像の画像データの中から識別コードの画像データを認識する画像認識工程と、を備えることを特徴とする画像読取方法。
【発明の詳細な説明】
【技術分野】
【０００１】
本発明は、原稿の画像を読み取る画像読取装置及び画像読取方法、並びに画像読取装置で読み取った画像の形成を行なうことができる画像形成装置に関する。
【背景技術】
【０００２】
従来から、使用者を特定して使用頻度をカウントすることにより使用状況管理や課金管理を行う画像読取装置がある。また、部外者が勝手に使用できないようにした画像形成装置もある。これらの画像形成装置のなかには、例えばユーザに操作部より識別コードを入力させ、その入力された識別コードが予め記憶部に記憶した識別コードと一致する場合にのみ読取動作や記録動作を許可する機能を備えるものがある（特開平１１−３３４１５８号公報）。また、磁気カード等を読み取る専用のカードリーダを備え、磁気カード等に記録される識別コードを読み取り、カードリーダ本体や記憶部に予め記憶した識別コードと一致するか否かを判断し、一致したときに印刷を許可する装置もある。
【０００３】
しかしながら、ユーザに識別コードを入力させる装置は、ユーザが動作を指示するたびに識別コードを入力しなければならず、煩雑である。また、磁気カード等を使用する装置は、その磁気カード等の識別コードを読み取るためのカードリーダを設ける必要があり、装置の構造が複雑になるだけでなく、コストが嵩む。このため、原稿画像読取手段から特定のカードを読み取らせることにより、低コストで記録動作を許可するか否かを判断する装置が提案されている。
【特許文献１】特開平１１−３３４１５８号公報
【発明の開示】
【発明が解決しようとする課題】
【０００４】
しかしながら、原稿画像読取手段により特定のカードを読み取らせる従来の画像読取装置では、まず、ユーザはカードを原稿台上にセットして、次に操作部のボタンを押圧する。これにより、画像読取装置はカードの識別コードを読み取って、読取動作を許可するか否かを判断する。次に、画像読取装置が読取動作を許可したときに、ユーザは原稿台に原稿をセットして、再度、操作部のボタンを押圧する。このように、従来の画像読取装置では、ユーザは操作部のボタンを２回押圧する必要があり、手順が煩雑であり、また、このために識別コードの認識を行なわない他の通常の機種に比べて、開始までの時間が約２倍近くになるという問題があった。
【０００５】
本発明は上記事情に基づいてなされたものであり、原稿と識別コードとを短時間で読み込むことができ、読取動作開始までの時間を短縮することができる画像読取装置、画像読取方法及び画像形成装置を提供することを目的とする。
【課題を解決するための手段】
【０００６】
上記の目的を達成するための請求項１記載の発明にかかる画像読取装置は、読み取る原稿を載置する原稿台と、前記原稿台上の画像を露光走査することによって前記画像の読取を行なう画像読取手段と、前記画像読取手段が読み取った画像の画像データの中から識別コードの画像データを認識する画像認識手段と、を備えることを特徴とする。
【０００７】
上記の目的を達成するための請求項２記載の発明にかかる画像読取装置は、請求項１記載の画像読取装置において、前記画像認識手段によって認識された識別コードが、画像読取装置に記憶された識別コードと一致するか否かを判断する判断手段を備え、前記判断手段が一致しないと判断したときに、再度、前記画像読取手段による画像の読取と、前記画像認識手段による識別コードの認識とを行なわせるか、或いは、読み取った前記画像の画像データを消去するかをユーザに選択させる選択手段を備えることを特徴とする。
【０００８】
上記の目的を達成するための請求項３記載の発明にかかる画像形成装置は、請求項１又は２記載の画像読取装置において、前記画像データから前記識別コードの画像データを消去する識別コード消去手段を有することを特徴とする。
【０００９】
上記の目的を達成するための請求項４記載の発明にかかる画像読取装置は、請求項１乃至３の何れかに記載の画像読取装置において、前記識別コードは、カード上に記載されており、前記画像読取手段が読み取った画像の画像データの中に前記カードの画像データが含まれているか否かを判断するカード画像判断手段と、前記カード画像判断手段が前記カードの画像データが前記原稿の画像データの中に含まれていると判断したときに、前記画像データからカードの画像データを消去するカード画像消去手段を有することを特徴とする。
【００１０】
上記の目的を達成するための請求項５記載の発明にかかる画像形成装置は、請求項１乃至４の何れかに記載の画像読取装置と、前記画像読取装置の前記読み取った画像データの画像形成を行う画像形成手段とを備えることを特徴とする。
【００１１】
上記の目的を達成するための請求項６記載の発明にかかる画像読取方法は、原稿台上の画像を露光走査することによって前記画像の読取を行なう画像読取工程と、前記画像読取工程が読み取った画像の画像データの中から識別コードの画像データを認識する画像認識工程と、を備えることを特徴とする。
【発明の効果】
【００１２】
請求項１記載の発明に係る画像読取装置によれば、原稿の画像を読み取るときに、同時に識別コードの画像も読み込むので、一度の読取動作で原稿と識別コードの両方の画像を読み込むことができる。
【００１３】
請求項２記載の発明に係る画像読取装置によれば、請求項１記載の発明に係る画像読取装置おいて、読み込んだ画像データから識別コードを認識して、認識した識別コードが画像形成を許可されたものであるか否かを判断することができ、判断手段が一致しないと判断したときに、ユーザは、再度、識別コードの認識を行なわせるか、或いは読み取った画像の画像データを消去するかを選択することができる。
【００１４】
請求項３記載の発明に係る画像読取装置によれば、請求項１又は２の何れかに記載の発明に係る画像読取装置において、識別コードの画像データを消去することができる。
【００１５】
請求項４記載の発明に係る画像形成装置によれば、請求項１乃至３の何れかに記載の発明に係る画像読取装置おいて、識別コードがカード上に記載されたものであるので、識別コードを記載したものを小型化することができる。また、読み取った原稿の画像データにカードの画像データが含まれているときに、原稿の画像データからカードの画像データを消去することができる。
【００１６】
請求項５記載の発明に係る画像形成装置によれば、請求項１乃至４の何れかに記載の画像読取装置が読み取った画像データの画像形成を行うことができる。
【発明を実施するための最良の形態】
【００１７】
以下に、図面を参照して、本願に係る発明を実施するための最良の形態について説明する。図１は、本発明の一実施形態である画像読取装置を備えた画像形成装置の概略構成図である。なお、本実施形態では、画像形成装置が複写機とファックスとプリンタの機能を備えたデジタル複合機である場合について説明する。
【００１８】
本実施形態の画像形成装置１は、図１に示すように、原稿等の画像を読み取る原稿読取装置２と、原稿読取装置２が読み取った画像を印字する画像形成部３とを備える。原稿読取装置２は、シート状の原稿を自動で送り出す原稿送り装置１０１と、原稿送り装置１０１に原稿がセットされたことを検出する原稿センサ１０２と、シート状の原稿を一枚ずつ分離して原稿の給紙を行なう原稿給紙ローラ１０３と、原稿の露光走査位置で原稿を搬送するプラテンローラ１０４と、原稿が排紙されたことを検出する原稿排紙センサ１０５と、原稿を排紙する原稿排紙ローラ１０６と、排紙された原稿を保持する原稿排紙トレイ１０７と、原稿を搬送せず固定載置する原稿台１０９及び原稿の画像等を読み取るコンタクトイメージセンサ１０８とを備える。
【００１９】
画像形成部３は、静電潜像画像を担持する感光ドラム３１０と、感光ドラム３１０上に光信号を照射して静電潜像画像を形成するポリゴンミラー３０５を備えるレーザスキャナユニット２０５と、トナーを保持するトナーホッパー３０３と、トナーホッパー３０３のトナーを用いて感光ドラム３１０上の静電潜像画像を現像してトナー像とする現像スリーブ３１１と、感光ドラム３１０上のトナー像を記録紙３０１に転写する転写ローラ３０８と、記録紙３０１上に転写されたトナー像を定着する定着ローラ３０４と、記録紙を搬送する搬送部３０６と、記録紙を排紙する排紙ローラ３０７と、を備える。なお、２０７は記録紙の有無を検出するＴＯＰセンサ、２０８は記録紙が排紙されたことを検出する排紙センサ、３０２は記録紙３０１を供給する給紙ローラ、３０９は感光ドラム３１０を一様に帯電する一次帯電ローラである。
【００２０】
図２は、本実施形態である画像形成装置のコントローラ部の概略ブロック図である。本実施形態の画像形成装置のコントローラ部１１は、ユーザからの指示、或いはコンピュータ等からの指令等に基づいて画像形成のための制御を行うものである。印字エンジン（画像形成手段）２０は、コントローラ部１１から送られてくる情報に従って画像データを印字するものであり、レーザスキャナユニット２０５及び感光体３１０等を含むものである。コントローラ部１１は、操作パネル部や外部からの指示を受け入れるための入力部１４と、原稿等の画像を読み取って画像データに変換する読取部（画像読取手段）１８と、読取部１８が読み取って変換した画像データにつて、識別コードの画像データがあるか否か等の各種の画像処理を行う画像処理部１７と、画像処理部１７によって各種の画像処理が施された画像データを記憶する画像メモリ（画像記憶手段）１５と、印刷を許可するＩＤカードの情報等を記憶する記憶部（コード記憶手段）１９と、印字エンジン２０の状態や入力部１４を介して送られてくる外部からの情報等を表示する表示部１３と、コントローラ部１１全体の制御を司る処理部１２と、を備える。なお、１６は、コントローラ部１１と印字エンジン２０との間で送受するデータを中継するインターフェイス部である。なお、図２に示すように、印字エンジン２０は、ＣＰＵ（処理部）２１、インターフェイス２２、メモリ２３、高圧部２４、定着部２５、モータ部２６、表示部２７、給紙部２８、センサ／スイッチ２９等を備えているが、これらのものは公知の事項であるので、その詳細な説明は省略する。
【００２１】
入力部１４は、本画像形成装置が複写機として機能するときには、操作パネル部を介してユーザから送られる指示を受けるものであり、またファックスとして機能するときには電話回線を介して送られてくるファックス情報を受けるものであり、更にプリンタとして機能するときには、コンピュータからの印刷命令を受けるものである。
【００２２】
処理部１２は、画像メモリ１５に記憶された画像データをＶＩＤＥＯ信号に変換して、インターフェイス部１６を介して印字エンジン２０に送る印字処理等を行う。また、読取部１８は、コンタクトイメージセンサ１０８を含むものである。
【００２３】
図３は、本実施形態で使用するＩＤカードの一例を示す図である。図３に示すように、本実施形態のＩＤカード５０の表面には、二次元コードであるＱＲコード（以下、ＩＤコードとも称する。）５１と、３つの位置マーク５２が印刷されている。３つの位置マーク５２を印刷しているのは、ＩＤカード５０を上下逆に置いたときにも、ＩＤカード５０の大きさと方向とを確実に認識することができるようにするためである。本実施形態の画像形成装置で画像形成を行なう場合、図３に示すＩＤカード５０を読取部１８により読み取らせることが必要となる。なお、ＱＲコードは公知の技術であるので、その詳細な説明は省略する。
【００２４】
図４は、本実施形態の画像処理部１７の概略ブロック図である。図４に示すように、本実施形態の画像処理部１７は、通常の画像処理を行う通常画像処理部Ａと、ＩＤコードの処理を行うＩＤコード処理部Ｂとを有する。通常画像処理部Ａは、シェーディング補正部１７１と、フィルタ処理部１７２と、γ補正部１７３と、変倍処理部１７４と、画像蓄積部１７５とを有する。通常画像処理部Ａは、読取部１８が読み取って変換した画像データを逐次シェーディング補正等の各種の画像処理を行って、画像蓄積部１７５により画像メモリ１５に画像データとして記憶する。また、ＩＤコード処理部Ｂは、読取部１８が読み取って変換した画像データからＩＤコードの画像データを認識する認識部（画像認識手段）１７６と、原稿の画像データとＩＤカード５０の画像データとが重複しているか否かを判断するカード画像判断部（カード画像判断手段）１７７と、カード画像判断部１７７が原稿の画像テータとＩＤカード５０の画像データとが重なっていると判断したときに、原稿の画像データからＩＤカードの画像データを削除する処理を行うカード画像消去部（カード画像消去手段）１７８と、認識部１７６が認識したＩＤコードが記憶部１９に記憶されている印刷許可できるＩＤコードであるか否かを判断する判断部（判断手段）１７９と、を有する。
【００２５】
また、本実施形態の画像形成装置は、原稿台１０９上の画像をコンタクトイメージセンサ１０８が移動しながら露光走査することによって画像を読み取るブック読取モードと、コンタクトイメージセンサ１０８を待機位置から原稿送り装置１０１の露光走査位置（シート読取ポジション）に移動させた状態で、原稿送り装置１０１によりシート状の原稿を送り出して、コンタクトイメージセンサ１０８により原稿を読み取らせるシート読取モードと、を有する。
【００２６】
次に、本実施形態の画像形成装置の基本的な複写動作について説明する。入力部１４よりスタートが指示されると、原稿送り装置１０１の原稿センサ１０２により原稿送り装置１０１上に原稿がセットされていることを検出する。原稿センサ１０２が原稿送り装置１０１上に原稿がセットされていることを検出できないときには、自動的にブックモードとなり、原稿台１０９上に置かれた原稿をコンタクトイメージセンサ１０８が移動走査し、原稿台１０９上の画像を読み取って電気信号である画像データに変換して、画像メモリ１５に記憶する。
【００２７】
一方、原稿センサ１０２が原稿送り装置１０１上に原稿がセットされていることを検出したときには、自動的にシート読取モードと判断され、コンタクトイメージセンサ１０８はプラテンローラ１０４の真下位置（原稿送り装置の露光走査位置であり、シート読取ポジションでもある。）へ移動する。移動終了後、原稿給紙ローラ１０３が原稿送り装置１０１上の原稿を1枚づつ分離して原稿の給紙を開始する。原稿の先端位置がシート読取ポジションへ到達したところから原稿画像を電気信号へ変換し始め、原稿を流しながら露光走査し、画像処理が施され画像データとして画像メモリ１５に記憶される。
【００２８】
画像メモリ１５に記憶された画像データは、ＶＩＤＥＯ信号に変換され印字エンジン２０に送られる。印字エンジン２０ではＶＩＤＥＯ信号が光信号に変換され、ポリゴンミラー３０５を介して感光体３１０に照射される。この照射光によって感光体３０５上に静電潜像画像が形成され、現像スリーブ３１１を通過する際、トナーホッパー３０３に保持されているトナーが感光体３１０に付着し感光体３１０上にトナー像が形成される。
【００２９】
一方、給紙ローラ３０２は記録紙３０１の給紙を開始し、転写ローラ３０８を通過する際に感光体３１０上に形成されたトナー像は記録紙３０１へ転写される。トナー像が付着した記録紙は定着器３０４を通過することで熱と圧力が加わりトナー像が記録紙へ固定される。トナー像が定着された記録紙３０１は、排紙ローラ３０７より機外へ排紙される。
【００３０】
図５は、ブック読取モードで複写を行なうときのＩＤカードの置き方を説明するための図である。ブック読取モードで複写を行なうときには、原稿とＩＤカード５０とが重ならないように、図５（ａ）又は（ｂ）に示すようにＩＤカード５０を原稿台１０９上に置く。
【００３１】
図６は、シート読取モードで複写を行なうときのＩＤカードの置き方を説明するための図である。シート読取モードで複写を行なうときには、コンタクトイメージセンサ１０８が待機する位置（ホームポジション）からシート状の原稿を読み取る位置であるシート読取ポジションに移動する間の原稿台１０９上にＩＤカード５０を置く。
【００３２】
図７は、本実施形態の画像形成装置でＩＤカードを用いて複写を行なうときのフローチャート、図８はＩＤコードを認識できなかったときに表示部に表示される表示の一例を示す図である。本実施形態の画像形成装置で複写処理を行うときには、まずステップＳ１１で、ブック読取モードかシート読取モードであるかが判断される。ステップＳ１１でブック読取モードと判定された場合、ステップＳ１２に移行して、コンタクトイメージセンサ１０８は原稿台１０９上の画像を走査し始める。同時にＩＤコード処理部ＢがＩＤコードの認識処理を行う。また、ステップＳ１６では、通常画像処理部Ａがシェーディング補正等の通常の画像処理を行なう。ステップＳ１７では、ＩＤコード５０が認識された否かを判断する。ステップＳ１７でＩＤコードが認識されたときは、画像読み込み中であっても直ちにステップＳ１９に移行して、読み取ったＩＤコードが記憶部１９に記憶されているＩＤコードであるか否かを判断する。また、ステップＳ１７でＩＤコード５１が認識されないときには、ステップＳ１８に移行して読取動作が終了したか否かを判断する。例えば、図５（ａ）に示す最大走査長Ｍに達したか否かを判断する。読取動作が終了していないときには、ステップＳ１７に戻ってＩＤコード５１の認識処理を続行する。一方、ステップＳ１８で読取動作が終了していると判断したときには、ステップＳ１９に移行して、印字可能か否かを判断する。例えば、図５（ａ）に示すようにＩＤカード５０を置いたときには、読取方向において原稿より下流側にＩＤカード５０が置かれるため、Ｌ1の長さまでコンタクトセンサ１０８は走査され識別処理が終了したところで、ステップＳ１９の判断に移行する。一方、図５（ｂ）に示すようにＩＤカード５０を置いたときには、画像読取動作途中にＩＤカード５０が置かれているので、コンタクトセンサ１０８がＬ2の位置まで走査したところでＩＤカード５０の識別処理が終了する。したがって、画像の読取終了を待たずにステップＳ１９に移行して印字可能か否かの判断を行う。
【００３３】
一方、ステップＳ１１でシート読取モードと判断されたときには、ステップ１３に移行してコンタクトイメージセンサ１０８は図６に示すホームポジションからシート読取ポジションまで移動を開始する。同時にステップＳ１４でＩＤコード処理部ＢによりＩＤコードの認識処理が開始され、コンタクトイメージセンサ１０８がシート読取ポジションへ移動する間に、原稿台１０９上に置かれたＩＤカード５０のＩＤコード５１の認識処理を行なう。ステップＳ１５では、コンタクトイメージセンサ１０８がシート読取ポジションへ移動するまで待つ。コンタクトイメージセンサ１０８がシート読取ポジションに移動するとステップＳ１６に移行して原稿給紙ローラ１０３が原稿を1枚ずつ分離して給紙を開始し、原稿画像の読取を開始する。
【００３４】
ステップＳ１７では、コンタクトイメージセンサ１０８がシート読取ポジションへ移動するまでの間にＩＤカード５０のＩＤコード５１が認識されているか否かを判断し、認識されている場合は直ちにステップＳ１９の印字判定処理へ移行する。認識されていない場合はステップＳ１８に移行して原稿送り装置１０１上の原稿が全て読み取られたか否かを判断する。原稿送り装置１０１上のすべの原稿を読み取ったときには、ステップＳ１９へ移行する。
【００３５】
ステップＳ１９では印字判定処理を行なう。すなわち、ステップＳ１９では、
認識されたＩＤコード５１が記憶部１９に記憶されているＩＤコードであるか否かを判断し、認識したＩＤコード５１が記憶部１９に記憶されているものであるときには、ステップＳ２０に移行して、画像メモリ１５に記憶されている原稿の画像データの送出を許可し、ステップＳ２１に移行する。ステップＳ２１では、印字エンジン２０が画像形成を行ない、本処理を終了する。
【００３６】
一方、ＩＤコードが認識できなかったか、或いはＩＤコードを認識できても、認識したＩＤコードが記憶部１９に記憶しているＩＤコードでないときには、印字不可と判断して、ステップＳ２２に移行して、処理部１２は、図８に示すように、ＩＤコード５１が認識できない旨の表示を行うと同時に、再度、識別コードの認識をさせる操作を行うか、印刷を中止するかの選択をユーザに求める表示を表示部１３に行う。ステップＳ２３で、ＩＤコードの再読み込みが選択された場合、ステップＳ２５でＩＤコードの認識処理を再開させる。すなわち、読取部１９は原稿台１０９上の画像を再度、読み取り、再びステップＳ１７に戻って上述したＩＤコードの判定処理を行う。一方、ステップＳ２３で、印字の停止が選択された場合、ステップＳ２４に移行して画像メモリ１５に蓄積された原稿画像データを破棄し、印刷を行わず本処理を終了する。
【００３７】
次に、コンタクトイメージセンサ１０８で読み取った原稿の画像データに、ＩＤカードの画像データが含まれている場合、すなわち原稿の画像データとＩＤカードの画像データとが重なっている場合について説明する。たとえば、本実施形態の画像形成装置によって、複写できる用紙サイズの最大がＡ３サイズの用紙である場合、Ａ３サイズの原稿を原稿台１０９上にセットして複写しようとすると、原稿とＩＤカードとを重ねて配置せざるを得ない。このような場合、読み取った原稿の画像データとＩＤカードの画像データとが重なる。このように原稿の画像データとＩＤカードの画像データとが重なったとときには、原稿の画像データからＩＤカードの画像データを消去して、複写処理を行う。なお、Ａ３サイズの原稿を複写するときには、原稿の白紙の部分にＩＤカードを配置して複写を行なうか、或いは、始めにＩＤカードを置かないで、Ａ３の原稿を読み取り、本装置が図８に示す表示を行なったときに、ＩＤカードをセットして、ＩＤカードの情報を読み取らせるようにすることにより、正常な複写処理を行うことができる。また、原稿のサイズを読み取らないで複写処理を行う機種の場合、縮小処理を行うと、図５（ｂ）に示すようにＩＤカード５０を置いても、このＩＤカード５０が置かれている位置まで原稿として読み取られてしまうことがある。この場合も、原稿の画像データとＩＤカードの画像データとが重なる。本実施形態では、このようなときにも、原稿の画像データからＩＤカードの画像データを消去する処理を行なう。
【００３８】
次に、本実施形態の画像形成装置において、原稿の画像データとＩＤカードの画像データとが重なったときの処理について説明する。図９は、本実施形態の画像処理部１７が原稿の画像データからＩＤカードの画像データを消去するときのフローチャートである。まず、ステップＳ８１で、読み取ったＩＤカード５０の画像データに基づいて、ＩＤカード５０の３つの位置マーク５２を検出し、検出した３つの位置マーク５２に基づいて、原稿台１０９上に置かれたＩＤカード５０の中心座標位置Ｐを算出して保存する。ステップＳ８２では３つの位置マーク５２からＩＤカードの大きさＭ（縦寸法と横寸法）と方向Ｎを算出して保存する。ここで、ＩＤカードの大きさを算出する理由について説明する。ＩＤカード５０の大きさは一定であるが、縮小処理や拡大処理が行なわれると、ＩＤカード５０の画像データが実際のＩＤカードの大きさと異なる。このため、後のステップＳ８４で、ＩＤカードの画像データを消去するときに、縮小処理或いは拡大処理されたＩＤカードの大きさが必要になるからである。
【００３９】
ステップＳ８３では、ステップＳ８１で算出したＩＤカード５０の中心座標位置Ｐと大きさＭと方向Ｎから、ＩＤカードの画像データが原稿画像読み取り範囲に入っているか否かを判定する。ＩＤカードの画像データが原稿画像読み取り範囲に入っていた場合は、ステップＳ８４で上記のＩＤカード５０の中心座標位置Ｐ、大きさＭ、方向Ｎのデータを基づいて画像メモリ１５に記憶した原稿の画像データからＩＤカードの画像データを消去する。ステップＳ８３で、ＩＤカードの画像データが原稿画像読み取り範囲に入っていない場合は、ステップＳ８４の処理を行うことなく、本処理を終了する。なお、本処理は、例えば、図７のフローチャートのステップＳ１９とステップＳ２０との間のステップなどにおいて行なわれる。また、本実施形態で原稿画像読み取り範囲というのは
（原稿サイズ）×（倍率）
のことである。この原稿画像読み取り範囲の最大は、原稿台の大きさと同じになる。
【００４０】
上記の本実施形態によれば、ブック読取モードのときには、原稿の画像を読み取るときに、ＩＤカードの画像も同時に読み取るので、原稿とＩＤカードの読取を別個のステップで行っている従来の装置に比べて、ＩＤカードを読み取るための特別の操作を必要としないので、操作性の向上を図ることができる。またしたがって、一枚目の印刷が行なわれるまでの時間も、従来の装置に比べて、約半分の時間で済む。また、シート読取モードのときには、コンタクトイメージセンサ１０８がホームポジションからシート読取ポジションに移動する間にＩＤカードの情報を読み取る。したがって、このモードの場合もＩＤカードを読み込むための特別の操作や処理を必要としないので、操作性の向上を図ることができるとともに、１枚目の印刷が行なわれるまでの時間を短縮することができる。
【００４１】
上記の本実施形態によれば、原稿を読み取る装置と別個にＩＤカードを読み取る専用装置を必要としないので、専用装置を必要とする従来の装置に比べて、構造が簡易なものとなり、またコストの低減を図ることができる。また、連続した動作の中で原稿画像の読み込みと、識別コードの認識を行うことができるので、専用装置を必要とする従来の装置に比べて、操作性を向上させるとともに、１枚目が印刷されるまでの時間を短縮することができる。
【００４２】
尚、本発明は上記の実施形態に限定されるものではなく、その要旨の範囲内において種々の変形が可能である。例えば、上記の実施形態では、ブック読取モードとシート読取モードの両方を備える複合機について説明したが、両モードのうち何れか一方のモードのみを備える複合機であってもよい。また、本発明は、複合機ではなく、複写機やプリンタ等であってもよい。
【００４３】
また、上記の本実施形態では、図６に示すように原稿台１０９の左隅にホームポジションがあり、右隅にシート読取ポジションがある場合について説明したが、ホームポジションがシート読取ポジションの右側に配置されているものであってもよい。この場合、コンタクトイメージセンサをホームポジションから一端、左隅に移動させた後に、シート読取ポジションに移動するように制御することにより、コンタクトイメージセンサがホームポジションからシート読取ポジションに移動する間にＩＤカードの画像を読み取ることができる。
【００４４】
また、上記の本実施形態では、原稿の画像データとＩＤカードの画像データとが重なるときに、ＩＤカードの画像データを原稿の画像データから削除する場合について説明したが、両画像データが重なったときには、複写動作を自動的に中止してもよいし、或いはユーザに両画像データが重なっていることを知らせて中止するようにしてもよい。
【００４５】
また、上記の本実施形態では、読み取ったＩＤカードのＩＤコードが記憶部に記憶したものでないときに、画像処理部が、再度、ＩＤカードの読取動作を行なうか、或いは原稿の画像データを消去するかをユーザに選択させる表示を行なう場合について説明したが、かかる選択するための表示は省略することも可能である。
【００４６】
また、上記の実施形態では、識別コードがＩＤカードのＩＤコードである場合について説明したが、本発明はこれに限定されるものはなく、識別コードはコピー用紙等に印刷されたものであってもよい。また、ＩＤコードは、二次元コードに限定されるものはなく、１次元コード等であってもよい。
【産業上の利用可能性】
【００４７】
以上説明したように、本発明の画像形成装置によれば、原稿を読み取る装置の他に別個にＩＤカードを読み取る専用装置を必要としないので、専用装置を必要とする従来の装置に比べて、構造が簡易なものとなり、またコストの低減を図ることかできる。また、連続した動作の中で原稿画像の読み込みと、識別コードの認識を行うことができるので、操作性の向上を図ることができ、更に１枚目が印刷されるまでの時間を短縮することができる。したがって、本発明は、複写機能やファックス機能やプリンタ機能等を有するデジタル複合機や画像形成システム等に適用することができる。
【図面の簡単な説明】
【００４８】
【図１】本発明の一実施形態である画像形成装置の概略構成図である。
【図２】本実施形態である画像形成装置のコントローラ部の概略ブロック図である。
【図３】本実施形態で使用するＩＤカードの一例を示す図である。
【図４】本実施形態の画像処理部１７の概略ブロック図である。
【図５】ブック読取モードで複写を行なうときのＩＤカードの置き方を説明するための図である。
【図６】シート読取モードで複写を行なうときのＩＤカードの置き方を説明するための図である。
【図７】本実施形態の画像形成装置でＩＤカードを用いて複写を行なうときのフローチャートである。
【図８】ＩＤコードを認識できなかったときに表示部に表示される表示の一例を示す図である。
【図９】本実施形態の画像処理部１７が原稿の画像データからＩＤカードの画像データを消去するときのフローチャートである。
【符号の説明】
【００４９】
１    画像形成装置
２    原稿読取装置
３    画像形成部
１１    コントローラ部
１２    処理部
１３    表示部
１４    入力部
１５    画像メモリ
１６    インターフェイス
１７    画像処理部
１８    読取部
１９    記憶部
２０    印字エンジン
５０    ＩＤカード
５１    ＩＤコード
５２    位置マーク
１０１    原稿送り部
１０８    コンタクトイメージセンサ
１０９    原稿台
１７６    認識部
１７７    カード画像判断部
１７８    カード画像消去部
１７９    判断部
Ａ    通常画像処理部
Ｂ    ＩＤコード処理部
【図１】
2006311323.tif 000003
【図２】
2006311323.tif 000004
【図３】
2006311323.tif 000005
【図４】
2006311323.tif 000006
【図５】
2006311323.tif 000007
【図６】
2006311323.tif 000008
【図７】
2006311323.tif 000009
【図８】
2006311323.tif 000010
【図９】
2006311323.tif 000011